【事件の表示】
　特願２００２−２８５２８７「印刷物とそれを用いた包装材料」拒絶査定不服審判事件〔平成１６年　４月１５日出願公開、特開２００４−１１４６５４〕について、次のとおり審決する。
【結　論】
　本件審判の請求は、成り立たない。
【理　由】
１．手続の経緯
　本願は、平成１４年９月３０日に出願したものであって、平成２０年９月１０日付けで手続補正がなされ、同年１０月１日付けで拒絶査定がなされ、これに対し、同年１１月６日付けで拒絶査定に対する審判請求がなされるとともに、同年１２月４日付けで明細書についての手続補正がなされたものである。
　その後、平成２１年１２月２４日付けで、審判請求人に前置報告書の内容を示し意見を求めるための審尋を行ったところ、平成２２年３月２日に回答書が提出された。
　
２．本願発明
　本願請求項１〜７に係る発明は、平成２０年１２月４日付け手続補正で補正された明細書及び図面の記載からみて、特許請求の範囲の請求項１〜７に記載された事項により特定されるとおりのものであり、その請求項１に係る発明（以下、「本願発明」という。）は、以下のとおりである。
「加飾を目的とする印刷層を有する基材上に撥液性を有するニス層を設け少なくとも該撥液性を有するニス層上に紫外線硬化型グロスニス層を設ける印刷物であって、撥液性を有するニス層が基材上に部分的に設けられており、該撥液性を有するニス層の有無により、紫外線硬化型グロスニスが平滑に塗布された部分と、撥液性を有するニス層上に紫外線硬化型ハイグロスニスが斑点状に凝集している部分があり、該撥液性を有するニス層上に紫外線硬化型ハイグロスニスが斑点状に凝集している部分の光沢度の差が、４０から８０であり、該印刷層を構成するインキが紫外線効果型インキであり、該撥液性を有するニス層が、紫外線硬化型タイプのニスからなることを特徴とする印刷物。」
　なお、上記請求項１には「紫外線硬化型グロスニス」及び「紫外線硬化型
ハイ
ハイ
ハイ
ハイ
　また、「印刷層を構成するインキが紫外線
効果
　
３．進歩性について
（１）引用刊行物
　原査定の拒絶の理由に引用された刊行物である特開平６−２７８３５４号公報（以下、「刊行物１」という。）には、以下の記載が図示とともにある。
　ア．【請求項１】  
素材上に部分的
に塗設した下塗りインキ又は塗料
並びに該インキ又は塗料上に
紫外線硬化型上塗りクリアー塗料を
紫外線照射により硬化せしめて該インキ又は塗料を塗設した部分に凹凸模様を形成した
凹凸模様を有する表面加工印刷塗工物
　イ．【０００２】
【従来の技術及び発明が解決しようとする問題点】
表面に凹凸模様を有する化粧面を作製する方法
　ウ．【０００７】以下本発明に係る凹凸模様を有する表面加工印刷塗工物を更に詳しく説明する。本発明においては、図１に示す如く、凹凸模様５を形成する下塗りインキ又はクリアー塗料２を塗工した部分の全面における表面張力が上塗りクリアー塗料３の表面張力に対して小さければよく、表面張力の差が大きいほど良好な凹凸模様が得られるので好ましい。上記構成とすることにより、下塗りインキ又はクリアー塗料２を塗工した部分の上面部全面に、均一で美麗な凹凸模様を形成することが可能となる。本発明において使用できる
素材１としては、紙の他に合板，パーティクルボード，金属板，プラスチックフィルム等がある。
【０００８】本発明において使用される
下塗りインキ又は、クリアー塗料（ワニス）２
水及びアルコールを単独又は混合した溶媒に溶解又は分散したクリアー塗料（ワニス）に表面張力が３０ダイン以下で有機溶剤又は、水及びアルコールに可溶又は分散可能な炭化水素化合物，シリコーン化合物，フッ素化合物等の撥油剤を
添加した特殊クリアー塗料
　エ．【００２３】本発明の凹凸模様５は、
凸部分５ａは上塗りクリアー塗料３により形成され艶がでているが、凹部分５ｂは、ハジキにより多少上塗りクリアー塗料３が残っているか、全く残っていない為に艶がでておら
下塗りクリアー塗料２を部分的に施すことによりその部分的に施された下塗り部分上の上塗りクリアー塗料３は、凹凸模様５となり、下塗りクリアー塗料２の施されていない上塗りクリアー塗料３は平滑な光沢を有している
　
　上記記載及び図面を含む刊行物全体の記載から、刊行物には、以下の発明が開示されていると認められる。
「素材上に部分的に塗設した下塗りインキ又は塗料、並びに該インキ又は塗料上に紫外線硬化型上塗りクリアー塗料を、紫外線照射により硬化せしめて該インキ又は塗料を塗設した部分に凹凸模様を形成した凹凸模様を有する表面加工印刷塗工物であって、
　下塗りインキ又は塗料は、水及びアルコールを単独又は混合した溶媒に溶解又は分散したクリアー塗料（ワニス）に表面張力が３０ダイン以下で有機溶剤又は、水及びアルコールに可溶又は分散可能な炭化水素化合物，シリコーン化合物，フッ素化合物等の撥油剤を添加した特殊クリアー塗料であって、
　下塗りクリアー塗料２を部分的に施すことによりその部分的に施された下塗り部分上の上塗りクリアー塗料３は、凹凸模様５となり、凹凸模様５は、凸部分５ａは上塗りクリアー塗料３により形成され艶がでているが、凹部分５ｂは、ハジキにより多少上塗りクリアー塗料３が残っているか、全く残っていない為に艶がでておらず、下塗りクリアー塗料２の施されていない上塗りクリアー塗料３は平滑な光沢を有している
　凹凸模様を有する表面加工印刷塗工物。」（以下「引用発明」という。）
　
（２）対比
　ａ．本願発明と引用発明とを比較すると、引用発明の「素材」及び「表面加工印刷塗工物」は、それぞれ本願発明の「基材」及び「印刷物」に相当する。
　ｂ．引用発明の「下塗りインキ又は塗料」は、「水及びアルコールを単独又は混合した溶媒に溶解又は分散したクリアー塗料（ワニス）に表面張力が３０ダイン以下で有機溶剤又は、水及びアルコールに可溶又は分散可能な炭化水素化合物，シリコーン化合物，フッ素化合物等の撥油剤を添加した特殊クリアー塗料」であって、クリアー塗料（ワニス）に撥油剤が添加されているから、該特殊クリアー塗料がなす層を撥液性を有するニス層ということができる。
　ｃ．引用発明の「上塗りクリアー塗料」は「紫外線硬化型」であり、「平滑な光沢を有している」から、「上塗りクリアー塗料」がなす層を紫外線硬化型グロスニス層ということができる。
　ｄ．引用発明は、「下塗りクリアー塗料２を部分的に施すことによりその部分的に施された下塗り部分上の上塗りクリアー塗料３は、凹凸模様５となり、凹凸模様５は、凸部分５ａは上塗りクリアー塗料３により形成され艶がでているが、凹部分５ｂは、ハジキにより多少上塗りクリアー塗料３が残っているか、全く残っていない為に艶がでておらず、下塗りクリアー塗料２の施されていない上塗りクリアー塗料３は平滑な光沢を有している」ものであるから、撥液性を有するニス層が基材上に部分的に設けられており、該撥液性を有するニス層の有無により、紫外線硬化型グロスニスが平滑に塗布された部分と、撥液性を有するニス層上に紫外線硬化型グロスニスが斑点状に凝集している部分があるものといえる。
　ｅ．以上より、本願発明と引用発明は、
「基材上に撥液性を有するニス層を設け少なくとも該撥液性を有するニス層上に紫外線硬化型グロスニス層を設ける印刷物であって、撥液性を有するニス層が基材上に部分的に設けられており、該撥液性を有するニス層の有無により、紫外線硬化型グロスニスが平滑に塗布された部分と、撥液性を有するニス層上に紫外線硬化型グロスニスが斑点状に凝集している部分がある印刷物。」
の点で一致し、以下の点で相違している。
［相違点１］本願発明は、基材上に「加飾を目的とする印刷層を有する」と特定され、「印刷層を構成するインキが紫外線硬化型インキであり」と特定されているのに対し、引用発明は、素材（基材）上に印刷層が設けられているのか否か明らかでない点。
［相違点２］本願発明は、「撥液性を有するニス層上に紫外線硬化型グロスニスが斑点状に凝集している部分の光沢度の差が、４０から８０であり」と特定されているのに対し、引用発明は、凸部分５ａは上塗りクリアー塗料３により形成され艶がでているが、凹部分５ｂは、ハジキにより多少上塗りクリアー塗料３が残っているか、全く残っていない為に艶がでておらず、下塗りクリアー塗料２の施されていない上塗りクリアー塗料３は平滑な光沢を有しているものの、光沢度の差が明らかではない点。
［相違点３］本願発明は、「撥液性を有するニス層が、紫外線硬化型タイプのニスからなる」と特定されているのに対し、引用発明は、特殊クリアー塗料（撥液性を有するニス）がなす層を有するものの、紫外線硬化型タイプであるか否か明らかでない点。
　
（３）判断
　上記相違点１について検討する。
　刊行物１のイに、「表面に凹凸模様を有する化粧面を作製する方法としては」と記載されているように、引用発明は、化粧面の作成を意図とするものである。また、化粧面を作成する際、基材と撥液性を有する層の間に印刷層を設けることは周知技術（特開昭４８−５８０６８号公報、第２頁右下欄第１〜３行参照。「原紙」、「ぼかし印刷」及び「特殊インク」が、それぞれ本願発明の「基材」、「印刷層」及び「撥液性を有する層」に相当する。特開平７−２３７２８６号公報、「ベース基材１」、「べたインキ層２及び絵柄インキ層３」及び「撥液性インキ４」が、それぞれ本願発明の「基材」、「印刷層」及び「撥液性を有する層」に相当する。特開平１１−２０７９２０号公報、「着色ポリエステル樹脂フィルム２」、「ベタ印刷層３及び絵柄印刷層４」及び「撥液絵柄層５」が、それぞれ本願発明の「基材」、「印刷層」及び「撥液性を有する層」に相当する。）であり、化粧面を作成するものである以上、その印刷層は加飾を目的とするものといえるから、引用発明に該周知技術を適用し、基材と撥液性を有する層の間に加飾を目的とする印刷層を設け、基材上に「加飾を目的とする印刷層を有する」との構成にすることは当業者が容易になし得る程度のことである。
　なお、「印刷層を構成するインキが紫外線硬化型インキであり」の点については、後記相違点３についての検討でまとめて検討する。
　
　上記相違点２について検討する。
　引用発明は、「下塗りクリアー塗料２を部分的に施すことによりその部分的に施された下塗り部分上の上塗りクリアー塗料３は、凹凸模様５となり、凹凸模様５は、凸部分５ａは上塗りクリアー塗料３により形成され艶がでているが、凹部分５ｂは、ハジキにより多少上塗りクリアー塗料３が残っているか、全く残っていない為に艶がでておらず、下塗りクリアー塗料２の施されていない上塗りクリアー塗料３は平滑な光沢を有している」ものであり、下塗りクリアー塗料２の施された凹凸模様５のある部分と下塗りクリアー塗料２の施されていない平滑な光沢を有する部分とは光沢差のあるものである。また、本願明細書の従来技術として例示された特開平９−５２４３０号公報の【０００２】に「従来、カートン等の紙器パーケージの印刷において、光沢の差を利用したデザインを印刷する場合、次の様な方法により印刷を行っていた。」と記載されているように、光沢の差を利用した印刷が求められているところ、引用発明の「特殊クリアー塗料」と「紫外線硬化型上塗りクリアー塗料」として十分光沢差のあるものを選択し、凹凸模様と平滑面という形状の違いによっても光沢差を設け、本願発明の上記相違点２のようなものとすることは設計事項に過ぎないものである。
　
　上記相違点３について検討する。
　印刷層、ニス層をいずれも紫外線硬化型タイプのものとすることは周知技術（特開平９−５２４３０号公報の段落【０００７】、特開平７−２３７２８６号公報の段落【０００９】、【００１０】、特開昭６２−２９０５７３号公報の第２頁左下欄第９行〜右下欄第１５行、特開平４−２５９５８６号公報の特許請求の範囲、特開平１０−２３６４８３号公報の段落【００７９】〜【００８１】参照。）である。
　基材上に「加飾を目的とする印刷層を有する」との構成にすることが想到容易であることは上記相違点１の検討で既に検討済みであり、その際、上記周知技術を採用し、印刷層を構成するインキが紫外線硬化型インキであり、撥液性を有するニス層が、紫外線硬化型タイプのニスからなるものとすることは、当業者が容易になし得る程度のことである。
　
　以上のとおりであるから、本願発明の相違点に係る特定は、刊行物に記載された発明及び周知技術に基づいて当業者が容易に想到することができたものであり、それにより得られる効果も当業者が予測できる範囲のものである。
　
４．同一性について
（１）引用例
　原査定の拒絶の理由に引用された、本願出願の日前の他の出願であって、その出願後に出願公開された特願２００１−３８８３６５号（特開２００３−１８１３７０号公報参照。）の願書に最初に添付した明細書及び図面（以下「先願明細書」という。）には、以下の記載が図示とともにある。
　
　オ．【００１２】本発明の
凹凸感を有するマット加工印刷物
【００１３】まず、
基材１の表面に設けられる印刷層２は、絵柄、表示などが印刷された層であり
紫外線硬化型インキを使用したオフセット印刷（平版印刷）で設けられ
【００１４】つぎに、
印刷層２の表面に
下刷り層３が設けられ
部分的に設けることによって
下刷り層３が設けられた上に設けられた部分でオーバーコート層４を形成するためのコーティング剤がはじかれて凹凸感を有するマット加工部分となり、艶加工部分とマット加工部分との両部分を有し、両部分の対比が著しい独特な印刷加工物とする
【００１５】
下刷り層３に使用するインキ
紫外線硬化型インキ
ポリマー、モノマー、光重合開始剤を混合した主剤に、ポリエチレンワックス、反応性シリコーンを助剤として主剤に対して０〜１０重量％加えたものを使用する
　カ．【００２０】
最後に、オーバーコート層４が設けられる
【００２１】この
オーバーコート層４に使用するコーティング剤は
紫外線硬化型のコーティング剤であり、下刷り層３の上にコーティングされた場合に、ハジキ現象を生じるもの
　キ．【００２５】
【実施例】基材１に板紙（コートボール３１０ｇ／ｍ2）を用いて、最終ユニットにＵＶコーターユニットＤの設置されたオフセット印刷機Ｐにより一工程で凹凸感を有するマット加工印刷物の加工を行った。
【００２６】まず、
印刷層２
ＵＶカルトンインキ
    有機顔料                                      １５〜２５重量％
    感光性樹脂                                    ４０〜５０重量％
    感光性モノマー                                １５〜２５重量％
    光重合開始剤                                    ５〜１０重量％
【００２７】つぎに、
下刷り層３
ＵＶハクリＯＰニスＵＰ−２
    ポリエステル樹脂                              １５〜２５重量％
    アクリルエステルオリゴマーモノマー            ５０〜７５重量％
    光開始剤                                        ５〜１０重量％
    ポリエチレンワックス                              １〜２重量％
    反応性シリコーン                                  ２〜３重量％
【００２８】つづいて、
オーバーコート層４
ＵＶクリヤーコートニス
    感光性樹脂                                    ４５〜５５重量％
    感光性モノマー                                １５〜２５重量％
    光重合開始剤                                    ５〜１０重量％
    添加剤                                            ５重量％未満
　
　上記記載及び図面を含む先願明細書全体の記載から、先願明細書には、以下の発明が開示されていると認められる。
「基材１の表面に設けられる印刷層２は、絵柄、表示などが印刷された層であり、紫外線硬化型インキを使用したオフセット印刷（平版印刷）で設けられ、
　印刷層２の表面に下刷り層３を部分的に設けることによって、下刷り層３が設けられた上に設けられた部分でオーバーコート層４を形成するためのコーティング剤がはじかれて凹凸感を有するマット加工部分となり、艶加工部分とマット加工部分との両部分を有し、両部分の対比が著しい独特な印刷加工物とすることができるものであり、
　印刷層２に使用するインキは、ＵＶカルトンインキを使用し、
　下刷り層３に使用するインキは、紫外線硬化型インキであり、ポリマー、モノマー、光重合開始剤を混合した主剤に、ポリエチレンワックス、反応性シリコーンを助剤として主剤に対して０〜１０重量％加えたものであって、ＵＶハクリＯＰニスＵＰ−２を使用し、
　最後に、オーバーコート層４が設け、オーバーコート層４に使用するコーティング剤は、紫外線硬化型のコーティング剤である、ＵＶクリヤーコートニスを使用し、下刷り層３の上にコーティングされた場合に、ハジキ現象を生じるものである
　凹凸感を有するマット加工印刷物」（以下「先願発明」という。）
　
（２）対比
　ａ．本願発明と先願発明とを比較すると、先願発明の「基材１」、「『絵柄、表示などが印刷された層』である『印刷層２』」、「『ポリエチレンワックス、反応性シリコーンを助剤として主剤に対して０〜１０重量％加えた』『ＵＶハクリＯＰニスＵＰ−２』を使用した『下刷り層３』」、「『紫外線硬化型のコーティング剤』である『ＵＶクリヤーコートニス』を使用した『オーバーコート層４』」及び「マット加工印刷物」は、それぞれ本願発明の「基材」、「加飾を目的とする印刷層」、「撥液性を有するニス層」、「紫外線硬化型グロスニス層」及び「印刷物」に相当する。
　ｂ．引用発明は、「印刷層２の表面に下刷り層３を部分的に設けることによって、下刷り層３が設けられた上に設けられた部分でオーバーコート層４を形成するためのコーティング剤がはじかれて凹凸感を有するマット加工部分となり、艶加工部分とマット加工部分との両部分を有」するものであるから、撥液性を有するニス層が基材上に部分的に設けられており、該撥液性を有するニス層の有無により、紫外線硬化型グロスニスが平滑に塗布された部分と、撥液性を有するニス層上に紫外線硬化型グロスニスが斑点状に凝集している部分があるものといえる。
　ｃ．以上より、本願発明と先願発明は、
「加飾を目的とする印刷層を有する基材上に撥液性を有するニス層を設け少なくとも該撥液性を有するニス層上に紫外線硬化型グロスニス層を設ける印刷物であって、撥液性を有するニス層が基材上に部分的に設けられており、該撥液性を有するニス層の有無により、紫外線硬化型グロスニスが平滑に塗布された部分と、撥液性を有するニス層上に紫外線硬化型グロスニスが斑点状に凝集している部分があり、該印刷層を構成するインキが紫外線硬化型インキであり、該撥液性を有するニス層が、紫外線硬化型タイプのニスからなる印刷物。」
の点で一致し、以下の点で一応相違している。
［相違点４］本願発明は、「撥液性を有するニス層上に紫外線硬化型グロスニスが斑点状に凝集している部分の光沢度の差が、４０から８０であり」と特定されているのに対し、先願発明は、艶加工部分とマット加工部分との両部分を有し、両部分の対比が著しい独特な印刷加工物であるものの、光沢度の差が明らかではない点。
　
（３）判断
　上記相違点４について検討する。
　先願発明は、「艶加工部分とマット加工部分との両部分を有し、両部分の対比が著しい独特な印刷加工物」であるから、艶加工部分とマット加工部分との両部分の光沢度の差が著しいものであることは明らかであり、具体的に光沢度の差をどの程度にするかは、設計上の微差に過ぎず、実質的に相違しない。
　
５．むすび
　以上３のとおり、本願発明は、刊行物に記載された発明に基づいて、当業者が容易に発明をすることができたものであり、特許法第２９条第２項の規定により特許を受けることができないものであり、以上４のとおり、本願発明は、先願明細書に記載された発明と同一であり、しかも、本願発明の発明者が上記先願明細書に記載された発明の発明者と同一とも認められないので本願発明は、特許法第２９条の２の規定により特許を受けることができないものであるから、他の請求項に係る発明を検討するまでもなく、本願は、拒絶されるべきものである。
　よって、結論のとおり審決する。